(57)【特許請求の範囲】
【請求項１】
動画撮影機能及び静止画撮影機能を有する電子カメラ装置であって、
動画像データまたは静止画像データを得るときに発生した手振れに係る手振れ値を検出する検出手段と、
動画像データまたは静止画像データを得るときの被写体の結像位置を調整する位置調整部材と、
手振れ補正の補正制限範囲を有し、前記動画像データの取得動作での制限範囲よりも、前記静止画像データの取得動作での制限範囲の方を広い範囲とし、前記検出された手振れ値に基づいて、前記位置調整部材を駆動制御することにより前記結像位置のずれを補正する手振れ補正手段と、
前記位置調整部材を駆動制御して、強制的に前記結像位置を所定の基準位置に設定する基準設定手段と、
静止画像データを得るときには、前記基準設定手段による前記位置調整部材の強制的な位置設定を禁止する禁止手段と
を具備したことを特徴とする電子カメラ装置。
【請求項２】
前記静止画像データを得た後に、前記禁止手段の禁止機能を解除して前記基準設定手段の動作を可能にする禁止解除手段を有することを特徴とする請求項１記載の電子カメラ装置。
【請求項３】
前記静止画像データを得た後に前記禁止手段の禁止機能を解除する手段を有し、
前記基準設定手段は、前記禁止機能の解除後に前記結像位置を所定の基準位置に強制的に設定するためのセンタリング動作を実行させることを特徴とする請求項１記載の電子カメラ装置。
【請求項４】
前記静止画像データを画像処理するときに、前記禁止手段の禁止機能を解除し、前記基準設定手段により前記結像位置を所定の基準位置に強制的に設定するためのセンタリング動作を実行させる手段を有することを特徴とする請求項１記載の電子カメラ装置。
【請求項５】
前記基準設定手段は、前記手振れ補正手段による補正動作が補正制限範囲を越える場合に、前記結像位置を所定の基準位置に強制的に設定するためのセンタリング動作を実行させることを特徴とする請求項１記載の電子カメラ装置。
【請求項６】
動画撮影機能及び静止画撮影機能を有する電子カメラ装置であって、
動画像データまたは静止画像データを得るときに発生した手振れに関係する手振れ値を検出する検出手段と、
動画像データまたは静止画像データを得るときの被写体の結像位置を調整する位置調整部材と、
手振れ補正の補正制限範囲を有し、前記動画像データの取得動作での制限範囲よりも、前記静止画像データの取得動作での制限範囲の方を広い範囲とし、前記検出された手振れ値に基づいて、前記位置調整部材を駆動制御することにより前記結像位置の手振れによる位置ずれを補正する手振れ補正手段と、
前記位置調整部材を駆動制御して、強制的に前記結像位置を所定の基準位置に設定する基準設定手段と、
前記動画像データを取得する動作に応じて、前記手振れ補正手段の補正動作及び前記基準設定手段の設定動作を制御するための第１の条件を設定する第１の条件設定手段と、
前記静止画像データの取得動作に応じて、前記手振れ補正手段の補正動作及び前記基準設定手段の設定動作を制御するための第２の条件を設定する第２の条件設定手段と、
前記静止画像データを得るときには、前記第１の条件設定手段により設定された前記第１の条件を、前記第２の条件設定手段により設定された前記第２の条件に切換えて前記手振れ補正手段の補正動作及び前記基準設定手段の設定動作を制御する切換え手段と
を具備したことを特徴とする電子カメラ装置。
【請求項７】
前記第１の条件設定手段は、前記動画像データの取得動作に応じて制限された範囲で前記手振れ補正手段の補正動作を制御し、かつ当該補正制限範囲を越える補正動作の場合に前記基準設定手段による設定動作を実行させる第１の条件を設定し、
前記第２の条件設定手段は、前記静止画像データの取得動作に応じて制限された範囲で前記手振れ補正手段の補正動作を制御し、かつ当該補正制限範囲を越える補正動作の場合に前記基準設定手段による設定動作を禁止する第２の条件を設定することを特徴とする請求項６記載の電子カメラ装置。
【請求項８】
前記基準設定手段は、前記動画像データの取得動作での前記手振れ補正手段による補正動作が制限範囲を越える場合に、前記結像位置を所定の基準位置に強制的に設定するセンタリング動作を段階的に実行することを特徴とする請求項１又は請求項６のいずれかに記載の電子カメラ装置。
【発明の詳細な説明】
【０００１】
【発明の属する技術分野】
本発明は、特に手振れ補正機能を有する電子カメラ装置に関する。
【０００２】
【従来の技術】
近年、被写体を電子的撮像機能により画像データに変換して、当該画像データを記録媒体に記録する電子カメラが普及している。電子カメラは、ディジタルカメラとも呼ばれている電子スチールカメラ以外に、動画撮影を主機能とするディジタルビデオカメラも含む。
【０００３】
ところで、最近の電子カメラには、静止画撮影機能と動画撮影機能（スルー画表示機能を含む）の両者を有すると共に、いわゆる手振れ補正機能を備えた製品が開発されている。
【０００４】
【発明が解決しようとする課題】
手振れ補正機能は、撮影時にオペレータ（電子カメラのユーザ）の手振れにより、撮影光学系に発生する被写体の結像位置のずれ（像振れ）を補正する機能である。手振れ補正動作では、補正制限範囲が設定されており、この補正制限範囲を越えるような場合には、所定の基準位置に結像位置を設定するセンタリング動作が実行される。このセンタリング動作は、撮影の初期時においても実行される。
【０００５】
ところで、電子カメラでは、静止画撮影と動画撮影とでは撮影条件が異なるため、それぞれの撮影条件に応じて手振れ補正の動作特性を変化させることが望ましい。特に、静止画撮影時には、手振れ補正と共に、いわゆるシャッタチャンスを逃さないような高速応答性が要求される。特に、センタリング動作は、光学レンズ系の駆動制御を要するため、相対的に長時間の制御時間を要する。
【０００６】
従来では、電子カメラの記録方式に応じて手振れ補正の動作特性を可変する方式は提案されている（例えば特開平９−３３９７０号公報を参照）。しかしながら、静止画撮影と動画撮影に応じて、適正な手振れ補正動作を実行する手振れ補正機能は実現されておらず、特に前述のように静止画撮影の特性に応じた適正な手振れ補正機能は実現されていない。
【０００７】
そこで、本発明の目的は、静止画撮影と動画撮影の各撮影条件に適応する手振れ補正機能を実現し、常に快適な撮影を可能とする電子カメラ装置を提供することにある。
【０００８】
【課題を解決するための手段】
本発明の第１の観点に従った電子カメラ装置は、動画撮影機能及び静止画撮影機能を有する電子カメラ装置であって、動画像データまたは静止画像データを得るときに発生した手振れに係る手振れ値を検出する検出手段と、動画像データまたは静止画像データを得るときの被写体の結像位置を調整する位置調整部材と、手振れ補正の補正制限範囲を有し、前記動画像データの取得動作での制限範囲よりも、前記静止画像データの取得動作での制限範囲の方を広い範囲とし、前記検出された手振れ値に基づいて、前記位置調整部材を駆動制御することにより前記結像位置のずれを補正する手振れ補正手段と、前記位置調整部材を駆動制御して、強制的に前記結像位置を所定の基準位置に設定する基準設定手段と、静止画像データを得るときには、前記基準設定手段による前記位置調整部材の強制的な位置設定を禁止する禁止手段とを備えた構成である。
【００１１】
本発明の第２の観点に従った電子カメラ装置は、動画撮影機能及び静止画撮影機能を有する電子カメラ装置であって、動画像データまたは静止画像データを得るときに発生した手振れに関係する手振れ値を検出する検出手段と、動画像データまたは静止画像データを得るときの被写体の結像位置を調整する位置調整部材と、手振れ補正の補正制限範囲を有し、前記動画像データの取得動作での制限範囲よりも、前記静止画像データの取得動作での制限範囲の方を広い範囲とし、前記検出された手振れ値に基づいて、前記位置調整部材を駆動制御することにより前記結像位置の手振れによる位置ずれを補正する手振れ補正手段と、前記位置調整部材を駆動制御して、強制的に前記結像位置を所定の基準位置に設定する基準設定手段と、前記動画像データを取得する動作に応じて、前記手振れ補正手段の補正動作及び前記基準設定手段の設定動作を制御するための第１の条件を設定する第１の条件設定手段と、前記静止画像データの取得動作に応じて、前記手振れ補正手段の補正動作及び前記基準設定手段の設定動作を制御するための第２の条件を設定する第２の条件設定手段と、前記静止画像データを得るときには、前記第１の条件設定手段により設定された前記第１の条件を、前記第２の条件設定手段により設定された前記第２の条件に切換えて前記手振れ補正手段の補正動作及び前記基準設定手段の設定動作を制御する切換え手段とを備えた構成である。
【００１４】
【発明の実施の形態】
以下図面を参照して、本発明の実施の形態を説明する。
【００１５】
図１は、本実施形態に関係する
（電子カメラの構成）
図１は、同実施形態に関係する電子カメラの要部を示すブロック図である。同実施形態の電子カメラは、静止画撮影機能を主機能とし、動画撮影機能も有する電子スチールカメラ（ディジタルカメラ）を想定する。当然ながら、動画撮影機能を主機能とし、静止画撮影機能も有するディジタルビデオカメラにも適用可能である。
【００１６】
同実施形態の電子カメラは、図１に示すように、大別して撮影系１と、画像処理系２と、メイン制御系（システムコントローラ）３と、表示系４と、入力操作系（入力操作部）５と、記録系６と、電源系７とから構成されている。
【００１７】
撮影系１は、ズームレンズ１０と、絞り部１１と、防振ユニット１２と、オートフォーカス（ＡＦ）レンズ１３と、シャッタ１４と、半透過型ミラー１５と、撮像回路１６と、光学フアインダ１７とを有する。但し、光学フアインダ１７は、同実施形態の電子カメラには必ずしも必要ではない。
【００１８】
防振ユニット１２は、同実施形態の手振れ補正機能に関係する要素であり、被写体の結像位置を調整するための補正光学レンズを有する。防振ユニット１２は、後述するように、防振アクチュエータ１０２により駆動して、Ｘ軸方向とＹ軸方向の２次元での補正制限範囲内で、結像位置を調整（補正）する（図４を参照）。シャッタ１４は常時開状態であり、入力操作部５のレリーズボタン（静止画撮影用ボタン）５０のオン操作（深押し操作）に応じて閉状態となって、静止画像露光時間を制御する。撮像回路１６は、通常では数百万画素のＣＣＤ（Ｃｈａｒｇｅ  Ｃｏｕｐｌｅｄ  Ｄｅｖｉｃｅ）撮像素子を有し、光学レンズ系（１０〜１３）を通じて入射した被写体像を光電変換する。撮像回路１６は、ガンマ補正やホワイトバランス調整などの各種の信号処理回路も含む。
【００１９】
ズームレンズ１０、絞り部１１、ＡＦレンズ１３、及びシャッタ１４はそれぞれ、ズームモータ１００、絞りモータ１０１、ＡＦモータ１０３、及びシャッタアクチュエータ１０４により駆動する。また、防振アクチュエータ１０２を含むこれらのモータ（１００〜１０３）及びアクチュエータ１０４は、システムコントローラ３により制御される駆動回路（ドライバ）１０５により駆動制御される。
【００２０】
画像処理系２は、Ａ／Ｄコンバータ２０と、バッファメモリ２１と、動画圧縮／伸長処理部２２と、静止画圧縮／伸長処理部２３と、ＡＥ回路（Ａｕｔｏｍａｔｉｃ  Ｅｘｐｏｓｕｒｅ）２４と、コントラスト検出回路２５とを有する。ＡＥ回路２４は、輝度検出機能（測光機能）を有する自動露出処理回路である。Ａ／Ｄコンバータ２０及びバッファメモリ２１以外の画像処理系２の各要素は、具体的には画像処理用ＣＰＵ（マイクロプロセッサ）及びその制御プログラムを格納したメモリから構成されている。
【００２１】
Ａ／Ｄコンバータ２０は、撮像回路１６から得られた画像信号（画素数に応じたアナログ信号）をディジタル信号（画像データ）に変換して、バッファメモリ２１に送出する。
【００２２】
動画圧縮／伸長処理部２２は、動画撮影モードで機能し、バッファメモリ２１に格納された画像データに対する画像圧縮処理（例えばモーションＪＰＥＧ方式圧縮）を実行し、連続的なファイル（映像データ）として記録系６に記録する。また、動画圧縮／伸長処理部２２は、再生時には記録系６から読出した画像データの画像伸長処理を実行する。静止画圧縮／伸長処理部２３は、静止画モードで機能し、バッファメモリ２１に格納された画像データに対する画像圧縮処理（例えばＪＰＥＧ方式圧縮）を実行し、静止画像データとして記録系６に記録する。また、静止画圧縮／伸長処理部２３は、再生時には記録系６から読出した画像データの画像伸長処理を実行する。
【００２３】
システムコントローラ３は、制御用ＣＰＵ（マイクロプロセッサ）及びその制御プログラムを格納したメモリから構成されている。システムコントローラ３は、駆動回路１０５を介して撮影系１を制御し、かつ画像処理系２、ストロボ制御回路８１、及び電源部７０の各要素を制御する。さらに、システムコントローラ３は、後述するように、入力操作部５からの各種入力、電源検出回路７２からの電源検出信号及び手振れセンサ９０から同実施形態に関係する手振れ検出値の入力を受け付けて、手振れ補正動作などの各種の制御動作を実行する。手振れセンサ９０は加速度センサであり、撮影時のオペレータによる手振れ値（ＢＲ）を検出する。入力操作部５の静止画レリーズ（シャッタ）ボタン５０の操作入力に応じて、システムコントローラ３は、静止画撮影動作を実行させる。
【００２４】
システムコントローラ３は、ストロボ制御回路８１を介して、撮影動作時のストロボ発光部８０の発光制御を行なう。さらに、システムコントローラ３は、電源検出回路７２からの電源検出信号を入力して、電源部７０を制御する。電源部７０は電源系７のメイン要素であり、電池７１や外部電源端子７３からの外部電源を入力して、各種要素に動作用電力を供給する。電源検出回路７２は、電源部７０の電源電圧を監視し、監視結果である電源検出信号をシステムコントローラ３に出力する。
【００２５】
表示系４は、表示処理回路４０と、表示装置４１と、オンスクリーン回路４２とを有する。表示装置４１は、液晶表示器からなるＥＶＦ（Ｅｌｅｃｔｒｏ−ｖｉｅｗ  ｆｉｎｄｅｒ）である。表示処理回路４０は、バッファメモリ２１に格納されたスルー画像データ（動画像データ）または静止画像データを表示処理して、表示装置４１に供給している。オンスクリーン回路４２は、システムコントローラ３からの各種の撮影条件（絞り値、シャッタスピードなど）を設定するための設定情報（ＳＣ）を表示装置４１に表示するように処理する。
【００２６】
同実施形態の記録系６は、動画用メディア６０と静止画用メディア６２とを有する。動画用メディア６０は、例えば光磁気ディスクからなり、ディスクドライブに含まれる動画記録再生回路６１により記録再生される。また、静止画用メディア６２は、例えばフラッシュＥＥＰＲＯＭからなるメモリカードであり、メモリコントローラに含まれる静止画記録再生回路６３により記録再生される。
【００２７】
（動画撮影動作及び静止画撮影動作）
以下図１と共に、図２のフローチャート及び図３を参照して、同実施形態の撮影動作を説明する。
【００２８】
まず、撮影動作の初期時には、システムコントローラ３は、駆動回路１０５を介して防振アクチュエータ１０２を駆動制御して、防振ユニット１２の補正光学レンズ（図４に示す４００）によりセンタリング動作を実行する（ステップＳ１）。センタリング動作とは、撮影系１により得られる被写体の結像位置を所定の基準位置に強制的に設定する動作である。
【００２９】
同実施形態の電子カメラでは、入力操作部のレリーズボタン５０の半押し操作（図５のＲ１ＯＮ）により、動画撮影モードが実行される（ステップＳ２のＹＥＳ）。図５の時間Ｔ１は、動画周期（フレーム周期）を意味する。
【００３０】
システムコントローラ３は、入力操作部からの動画撮影モードに応じて、動画撮影用条件を設定する（ステップＳ３）。なお、表示系４では、撮影系１及び画像処理系２により得られた動画像データがＥＶＦ４１にスルー画像として表示される。
【００３１】
この動画撮影動作時に、手振れセンサ９０からの加速度検出値に基づいて、システムコントローラ３はオペレータによる手振れが発生したことを検知すると、動画撮影時の手振れ補正制御を実行する（ステップＳ４）。手振れ補正制御については、図３のフローチャートを参照して後述する。
【００３２】
この動画撮影モード時に、入力操作部のレリーズボタン５０の深押し操作（図５のＲ２ＯＮ）が実行されると、静止画撮影モードが実行される（ステップＳ５のＹＥＳ）。図５の時間Ｔ２は、シャッタ１４の開閉動作に応じた静止画撮影における露光時間を意味する。
【００３３】
システムコントローラ３は、静止画撮影モードに応じて、静止画撮影用条件を設定する（ステップＳ６）。この静止画撮影動作時に、手振れセンサ９０からの加速度検出値に基づいて、システムコントローラ３はオペレータによる手振れが発生したことを検知すると、静止画撮影時の手振れ補正制御を実行する（ステップＳ７）。手振れ補正制御については、図３のフローチャートを参照して後述する。
【００３４】
静止画撮影動作では、撮影系１により得られた静止画像データがバッファメモリ２１に格納されて、静止画圧縮／伸長処理部２３により画像圧縮処理された後に、静止画用メディア６２に記録される（ステップＳ８）。そして、静止画撮影における露光処理が終了すると、システムコントローラ３は、駆動回路１０５を介して防振アクチュエータ１０２を駆動制御して、センタリング動作を実行する（ステップＳ９のＹＥＳ，Ｓ１０）。このセンタリング動作は、撮影初期時のセンタリング動作と同様である。
【００３５】
ここで、静止画撮影モードにおいて、連続撮影（連写）モードの場合には、ステップＳ９のＮＯからステップＳ７までの処理を繰り返すことになる。
【００３６】
（手振れ補正制御）
次に、図１と共に、図３のフローチャート、図４及び図６を参照して、同実施形態の手振れ補正制御を説明する。
【００３７】
同実施形態の電子カメラは、図１に示すように、手振れセンサ９０を有している。システムコントローラ３は、撮影時に手振れセンサ９０から手振れ検出値ＢＲを入力すると、当該手振れ値ＢＲと予め用意した許容値ＢＲＴとを比較し、発生した手振れが許容範囲内であるか否かを判定する（ステップＳ２０）。ここで、手振れ検出値ＢＲは、手振れセンサ９０により検出された加速度を２回時間積分して求めた値であり、被写体の結像の位置ずれ量を示し、また防振ユニット１２のレンズの移動距離に相当する値である。オペレータの手振れが許容範囲内であれば、システムコントローラ３は、手振れ補正処理を実行することなく、そのまま撮影動作を続行する（ステップＳ２０のＮＯ）。
【００３８】
一方、手振れが許容範囲外の場合には、システムコントローラ３は、設定された撮影条件に基づいて、現時点の撮影動作が静止画撮影モードまたは動画撮影モードであるかを判定する（ステップＳ２１，Ｓ２２）。この判定結果に基づいて、システムコントローラ３は、静止画撮影時では静止画撮影用手振れ補正処理を実行する（ステップＳ２２のＹＥＳ）。また、動画撮影時では動画撮影用手振れ補正処理を実行する（ステップＳ２２のＮＯ）。
【００３９】
ここで、システムコントローラ３は、駆動回路１０５を介して防振アクチュエータ１０２を駆動制御して、防振ユニット１２の補正光学レンズの位置を調整することにより、手振れ補正及びセンタリング動作を実行する。図４は、補正光学レンズ４００のＸ軸方向とＹ軸方向の位置調整を示す図である。図４において、４０１Ｘ，４０１Ｙは、静止画撮影時の手振れ補正制限範囲を示す。また、４０２Ｘ，４０２Ｙは、動画撮影時（スルー画表示）の手振れ補正制限範囲を示す。即ち、通常では、静止画撮影時の手振れ補正制限範囲の方が、動画撮影時（スルー画表示）の手振れ補正制限範囲よりも広い。また、図６は、手振れ補正範囲（Ｃ１，Ｃ２）において、補正光学レンズの位置を調整することによるセンタリング動作（Ａ，Ｂ）を示す。センタリング動作（Ａ）は、初期時のセンタリング動作を示す。また、センタリング動作（Ｂ）は、後述するように、動画撮影時での段階的センタリング動作を示すものである。
【００４０】
動画撮影時では、システムコントローラ３は、防振アクチュエータ１０２を駆動制御して防振ユニット１２の補正光学レンズの位置を調整することにより、動画撮影用手振れ補正処理を実行する（ステップＳ２３）。具体的には、図４に示す手振れ補正制限範囲（４０２Ｘ，４０２Ｙ）内での手振れ補正を実行する。ここで、当該補正制限範囲（４０２Ｘ，４０２Ｙ）内では補正できない場合には、システムコントローラ３は、防振アクチュエータ１０２を駆動制御して、センタリング動作を実行する（ステップＳ２４のＹＥＳ，Ｓ２５）。即ち、システムコントローラ３は、補正光学レンズの位置を調整して、被写体の結像位置を所定の基準位置に強制的に設定する。
【００４１】
このとき、図６に示すように、段階的にセンタリング動作（Ａ，Ｂ）を実行してもよい。即ち、最初の補正制限範囲（Ｃ１）で手振れ補正できない場合に、最初の段階でセンタリング動作（Ｂ）を実行する。そして、補正制限範囲（Ｃ２）で再度の手振れ補正を実行する（点線で示すステップＳ２５からＳ２３への処理）。この補正制限範囲（Ｃ２）で手振れ補正できない場合に、次の段階のセンタリング動作（Ａ）を実行する。
【００４２】
一方、静止画撮影時では、システムコントローラ３は、防振アクチュエータ１０２を駆動制御して防振ユニット１２の補正光学レンズの位置を調整することにより、静止画撮影用手振れ補正処理を実行する（ステップＳ２６）。具体的には、図４に示す手振れ補正制限範囲（４０１Ｘ，４０１Ｙ）内での手振れ補正を実行する。ここで、当該補正制限範囲（４０２Ｘ，４０２Ｙ）内では補正できない場合には、システムコントローラ３は、前述のようなセンタリング動作を禁止し、静止画撮影動作を続行する（ステップＳ２７のＹＥＳ，Ｓ２８）。但し、システムコントローラ３は、表示系４のオンスクリーン回路４２を介してＥＶＦ４１に手振れ補正を実行していない旨を表示する警告処理を実行してもよい。
【００４３】
以上のように同実施形態の電子カメラは、撮影時にオペレータによる手振れが発生した場合に、動画撮影時では手振れ補正制御を実行すると共に、補正制限範囲を越える場合にはセンタリング動作を実行する。一方、静止画撮影時には、補正制限範囲内の手振れ補正制御を実行するが、センタリング動作を禁止して、静止画撮影動作を続行する。従って、静止画撮影時には、手振れが発生したときに、防振アクチュエータ１０２を駆動制御する手振れ補正制御において、センタリング動作を実行しないため、この動作に要する時間分だけ制御時間の短縮化を図ることができる。これにより、制限された範囲での手振れ補正を実行できると共に、静止画撮影時での高速応答性の低下を抑制できるため、シャッタチャンスを逃すような事態を回避することが可能となる。
【００４４】
なお、図２のステップＳ９，Ｓ１０に示すように、システムコントローラ３は、静止画撮影動作の終了後に、センタリング動作の禁止を解除し、次の撮影動作の前に初期時のセンタリング動作を実行することになる。
【００４５】
（変形例）
同実施形態では、静止画撮影時には、手振れ補正制御においてセンタリング動作を禁止したが、シャッタ１４が閉じた後の静止画データの画像処理時に、当該センタリング動作を実行してもよい（ステップＳ１０のセンタリング動作に相当する）。
【００４６】
さらに、同実施形態では、システムコントローラ３による手振れ補正制御について説明したが、これに限ること無く、システムコントローラ３とは独立した手振れ補正制御回路による制御でもよい。即ち、電子カメラ本体側制御ではなく、撮影系１に設けられた手振れ補正制御回路によるレンズ側独立制御でもよい。このような構成であれば、電子カメラ本体側には手振れ補正制御の機能が不要であるため、電子カメラ本体に対してレンズ系を交換できる交換レンズ方式の場合に有効である。但し、この変形例の場合でも、システムコントローラ３と撮影系１に設けられた手振れ補正制御回路との間には、例えばレリーズボタンの操作信号を通信するための通信手段等は必要である。
【００４７】
【発明の効果】
以上詳述したように本発明によれば、静止画撮影機能及び動画撮影機能を備えた電子カメラにおいて、静止画撮影と動画撮影の各撮影条件に適応する手振れ補正機能を実現することができる。特に、静止画撮影時には、センタリング動作を禁止することにより、手振れ補正制御に要する時間を短縮化できるため、シャッタチャンスを逃さないような高速応答性を確保できる。従って、結果的に快適な静止画撮影及び動画撮影を実現することができる。
【図面の簡単な説明】
【図１】本発明の実施形態に関係する電子カメラの要部を示すブロック図。
【図２】同実施形態に関係する撮影動作を説明するためのフローチャート。
【図３】同実施形態に関係する手振れ補正制御を説明するためのフローチャート。
【図４】同実施形態に関係する防振ユニットによる手振れ補正動作を説明するための概念図。
【図５】同実施形態に関係する動画撮影動作及び静止画撮影動作を説明するための概念図。
【図６】同実施形態に関係する防振ユニットによるセンタリング動作を説明するための概念図。
【符号の説明】
１…撮影系
２…画像処理系
３…システムコントローラ
４…表示系
５…入力操作部
６…記録系
７…電源系
１０…ズームレンズ
１１…絞り部
１２…防振ユニット
１３…ＡＦレンズ
１４…シャッタ
１５…半透過型ミラー
１６…撮像回路
１７…光学フアインダ
２０…Ａ／Ｄコンバータ
２１…バッファメモリ
２２…動画圧縮／伸長処理部
２３…静止画圧縮／伸長処理部
２４…ＡＥ回路
４０…表示処理回路
４１…表示装置
４２…オンスクリーン回路
６０…動画用メディア
６１…動画用記録再生回路
６２…静止画用メディア
６３…静止画用記録再生回路
７０…電源部
７１…電池
７２…電源検出回路
８０…ストロボ発光部
８１…ストロボ制御回路
９０…手振れセンサ
１００…ズームモータ
１０１…絞りモータ
１０２…防振アクチュエータ
１０３…ＡＦモータ
１０４…シャッタアクチュエータ
１０５…駆動回路
【図１】
0004426681.tif 000002
【図２】
0004426681.tif 000003
【図３】
0004426681.tif 000004
【図４】
0004426681.tif 000005
【図５】
0004426681.tif 000006
【図６】
0004426681.tif 000007